(57)【特許請求の範囲】
【請求項１】
間口上部に上レールを設け、該上レールを移動するランナーにはドアパネルを吊設し、間口の片側にはコ型をした枠体を旋回可能に取付けると共に、枠体の上下アーム先端をドアパネルの上下端に軸を介して連結することによりドアパネルが回転しながら移動して間口を開閉することができるスライド式回転ドア装置において、ドアパネルを係止する仮施錠装置を前記枠体を構成する回転軸側に設けると共に、仮施錠装置を操作するハンドルをドアパネルの仮施錠装置側に設けたことを特徴とするスライド式回転ドア装置。
【請求項２】
請求項１記載のスライド式回転ドア装置において、室内側のハンドルを室外側のハンドルよりも長くしたことを特徴とするスライド式回転ドア装置。
【発明の詳細な説明】
【０００１】
【発明の属する技術分野】
本発明は、スライド式回転ドア装置において、ドアパネルの一端を係止するだけでガタ付なく閉鎖状態を保持することができるスライド式回転ドア装置に関するものである。
【０００２】
【従来の技術】
従来から、間口上部に上レールを設け、該上レールを移動するランナーにはドアパネルを吊設し、間口の片側の縦枠にはコ型をした枠体を旋回可能に取付けると共に、枠体の上下アーム先端をドアパネルの上下端に軸を介して連結することによりドアパネルが回転しながら移動して間口を開閉することができるスライド式回転ドア装置は特開平１１−５０７３２号公報等多数の公報に開示されているが、ドアを係止する仮施錠する装置及びこの装置を操作するハンドルは前記枠体の取り付け位置と反対側の間口の縦枠側に設けたものであった。
【０００３】
【発明が解決しようとする課題】
このようなスライド式回転ドア装置にあっては、通常のドアパネルの一端が建具枠の縦枠に蝶着されたドアとは異なり、ドアが開放するときにはランナーの軸部を支点としてドアパネルが旋回するもので、ドアが閉鎖状態を保持するための係止部即ちハンドル操作で施解錠される仮施錠装置がドアパネルの動きを制御する枠体と反対側のドアパネルに設けられており、且つ、ランナーの取り付け位置がその構造上ドアパネルの中央より枠体と反対側の方向に偏っている従来のドア装置にあっては、ドアパネルの仮施錠部と反対側の端部はフリーの状態で風圧等でドアパネルが大きく振れてガタつくという欠点があった。
【０００４】
そこで、この欠点を解決するために、仮施錠装置を操作するハンドルの動きに連動して左右に往復動し、枠体の回転軸に係脱するロッドをドアパネル内部に貫通して設け、仮施錠装置のラッチボルトとこのロッドによってドアパネルの両端即ち二点を係止してドアパネルの上述の振れを防止していた。
【０００５】
然しながら、ドアパネルがサッシパネルのような中空のものであれば、ロッドをドアパネル内部に貫通して設けることには何等問題は生じないが、ドアパネルが木製であったり、ガラスを嵌め込んだものであったりした場合には実施が困難であるという問題点があった。
【０００６】
【発明の目的】
本発明は、スライド式回転ドア装置において、ドアパネルの一端を係止するだけでガタ付なく閉鎖状態を保持することができるスライド式回転ドア装置を提供することを目的とするものである。
【０００７】
【課題を解決するための手段】
本発明に係るスライド式回転ドア装置は、間口上部に上レールを設け、該上レールを移動するランナーにはドアパネルを吊設し、間口の片側にはコ型をした枠体を旋回可能に取付けると共に、枠体の上下アーム先端をドアパネルの上下端に軸を介して連結することによりドアパネルが回転しながら移動して間口を開閉することができるスライド式回転ドア装置において、ドアパネルを係止する仮施錠装置を前記枠体を構成する回転軸側に設けると共に、仮施錠装置を操作するハンドルをドアパネルの仮施錠装置側に設けたことを特徴とするものである。
【０００８】
【発明の作用】
ドアが閉鎖する位置にあるとき対向する枠体の回転軸とドアパネルの端部との間が仮施錠装置のラッチボルトで係止され、ドアパネルの他端の振れは通常のドアで使用されている戸当りで規制されて振れることがない。
【０００９】
【発明の実施の形態】
本発明ドア装置の実施の形態を図面について具体的に説明する。
【００１０】
図１は、本発明装置の正面図、図２は、図１のＡ−Ａ線における横断平面図、図３は、同要部正面図、図４は、本発明装置の側面図、図５は、回転軸と軸受部材との関係を表すドア閉鎖時における要部拡大平面図、図６は、回転軸と軸受部材との関係を表すドア開放途中の要部拡大平面図、図７は、回転軸と軸受部材との関係を表すドア開放時における要部拡大平面図である。
【００１１】
１はドアパネル、２はトイレブースの開口部に嵌めこまれた建具枠であって、ドアパネル１は建具枠２の上部枠２１に設けられた上レール２２を移動するランナー３に吊設され、上レールに沿って移動できるようになっている。
【００１２】
上記建具枠２の一方の縦枠２３側に上下にアーム４１、４２を取り付けた回転軸４３とから成るコ字型の枠体４が上下の軸４ａ、軸４ａによって旋回可能に取付けられている。
【００１３】
ドアパネル１は、枠体４の上下アーム４１、４２の先端に上下端が軸１１、１２にて枢支され、枠体４の動きとは関わりなく軸１１、１２を支点として旋回できるようになっている。
【００１４】
また、枠体４の回転軸４３の断面形状は建具枠２の縦枠２３側の面が凸状湾曲面４３ａとなっており、後述する軸受部材と対応する構成となっている。
【００１５】
５は、縦枠２３に取り付けられる前記回転軸４３に対応する軸受部材であって、回転軸４３の凸状湾曲面４３ａが嵌る凹状湾曲面５ａが形成されている。
【００１６】
６は、ドアパネル１の縦枠２３側に取り付けられたハンドル６１及び仮施錠装置たるラッチ錠６２とから成るハンドル錠であって、ドア閉鎖時前記枠体４の回転軸４３に設けられたストライキにラッチボルトが係合して仮施錠されるようになっており、室内側のハンドル６１を室外側のハンドル６１よりも長くしておけば、室内側から取手を持たなくても軽いハンドル操作でドアを開けることができるものである。
【００１７】
図中、７は、縦枠２４に取り付けられた戸当材、８は、ドアパネル１の縦枠２４側に取り付けられた取手で、ドアを開くときに使用するもので、開放端に手を掛けて開くようにするときには無くてもよいものである。
【００１８】
次に、本発明装置の具体的用法を説明する。
【００１９】
図１、図２のドア閉鎖状態においてハンドル６１を回動して仮施錠を解き、ハンドル６１をその侭押すと、ドアパネル１はランナー３の軸部を支点として反時計方向に旋回しようとするから、軸５１、５２によって連結される枠体４のアーム４１、４２は時計方向に旋回し、回転軸４３は時計方向に回転する。
【００２０】
ドアパネル１はアーム４１、４２に連結されている関係上、ランナー３の軸部を支点として旋回できない状態になったとき、取手７に手を掛けてドアパネル１をそのまま枠体４方向に押してやると、ドアパネル１を吊っているランナー３が上レール２２に案内されて走行し、ドアパネル１は旋回しながら全体が縦枠２３側に寄ってきて開口部が全開する。この動作は従来のスライド式回転ドア装置の動作と全く同じであるので、詳細な記述は省略する。
【００２１】
ドアの開閉動作中、枠体４の回転軸４３と軸受部材５との関係は、図４、５、６のようにドア閉鎖時からドア開放時に至る迄凸状湾曲面４３ａが凹状湾曲面５ａに嵌ったままでその間隔は変わらず、指詰めが起こる隙間が生じないようになっている。
【００２２】
【発明の効果】
以上述べた如く、本発明に係るスライド式回転ドア装置によれば、間口上部に上レールを設け、該上レールを移動するランナーにはドアパネルを吊設し、間口の片側にはコ型をした枠体を旋回可能に取付けると共に、枠体の上下アーム先端をドアパネルの上下端に軸を介して連結することによりドアパネルが回転しながら移動して間口を開閉することができるスライド式回転ドア装置において、ドアパネルを係止する仮施錠装置を前記枠体を構成する回転軸側に設けると共に、仮施錠装置を操作するハンドルをドアパネルの仮施錠装置側に設けたもので、ドアパネルの一端を枠体の回転軸に係止するだけでガタ付なく閉鎖状態を保持することができるため、従来装置のようにドアパネルを貫通するロッド等を必要とせず、ドアパネルが木製のように中空でなかったり、ガラスを嵌めた化粧ドア等どのようなドアにも適用できて便利である。
【００２３】
また、ドア開放の初動時にはハンドル側即ちドアパネルの枢支部が従来装置よりも遠いところを押すので、従来装置よりも軽く押すだけで簡単に開けることができるという効果もある。
【００２４】
更に、ドア開放時には枠体の回転軸と対面することのない室内側のハンドルを室外側のハンドルよりも長くすることにより、取手を握らなくてもハンドルだけでドアを開くことができるようになって便利である。
【図面の簡単な説明】
【図１】本発明装置の正面図である。
【図２】図１のＡ−Ａ線における横断平面図である。
【図３】同要部正面図である。
【図４】本発明装置の側面図である。
【図５】回転軸と軸受部材との関係を表すドア閉鎖時における要部拡大平面図である。
【図６】回転軸と軸受部材との関係を表すドア開放途中の要部拡大平面図である。
【図７】回転軸と軸受部材との関係を表すドア開放時における要部拡大平面図である。
【符号の説明】
１      ドアパネル
２      建具枠
３      ランナー
４      枠体
４３    回転軸
５      軸受部材
６      ハンドル錠
６１    ハンドル
６２    仮施錠装置
【図１】
0003735837.tif 000002
【図２】
0003735837.tif 000003
【図３】
0003735837.tif 000004
【図４】
0003735837.tif 000005
【図５】
0003735837.tif 000006
【図６】
0003735837.tif 000007
【図７】
0003735837.tif 000008